(57)【要約】【課題】洗浄剤組成物においては、界面活性剤が主な洗浄成分として働き、酵素等の種々の成分が配合されている。酵素の性能及び安定性の向上を図った液体洗浄剤が開示されているものの、従来の液体洗浄剤では、食べ物に由来する汚れに対する洗浄力が充分ではなかった。上記事情に鑑み、液体洗浄剤組成物に、より優れた洗浄力を付与する。【解決手段】（Ａ）成分：高級脂肪酸及びその塩を除く界面活性剤と、（Ｂ）成分：アミラーゼ０．０５〜３質量％と、（Ｃ）成分：炭酸水素塩と、を含有することよりなる。【選択図】なし【特許請求の範囲】
【請求項１】
（Ａ）成分：高級脂肪酸及びその塩を除く界面活性剤と、
（Ｂ）成分：アミラーゼ０．０５〜３質量％と、
（Ｃ）成分：炭酸水素塩と、
を含有する、繊維製品用の液体洗浄剤組成物。
【請求項２】
前記（Ｂ）成分／前記（Ｃ）成分で表される質量比が、０．０１〜１．５である、請求項１に記載の繊維製品用の液体洗浄剤組成物。
【請求項３】
前記（Ａ）成分の含有量が、１０〜２６質量％である、請求項１又は２に記載の繊維製品用の液体洗浄剤組成物。
【請求項４】
前記（Ａ）成分は、ノニオン界面活性剤とアニオン界面活性剤とを含有し、
前記ノニオン界面活性剤／前記アニオン界面活性剤で表される質量比は、０．５〜１０である、請求項１〜３のいずれか一項に記載の繊維製品用の液体洗浄剤組成物。
【発明の詳細な説明】
【技術分野】
【０００１】
本発明は、繊維製品用の液体洗浄剤組成物に関する。
【背景技術】
【０００２】
衣料等を洗浄対象とする繊維製品用の洗浄剤組成物としては、粉末洗浄剤組成物と液体洗浄剤組成物との２種が一般的である。液体洗浄剤組成物は、溶け残りの懸念がないことや衣料等に塗布して使用できることから、その需要が高まっている。
洗浄剤組成物においては、界面活性剤が主な洗浄成分として働き、酵素等の種々の成分が配合されている。酵素は、少量で様々な性能を発揮する成分として重要な役割を担っている。
【０００３】
例えば、特許文献１には、特定量のノニオン界面活性剤と、アミノカルボン酸又はその塩及びホスホン酸又はその塩から選ばれる少なくとも１種と、α−ヒドロキシ−モノカルボン酸又はその塩と、酵素とを含有する液体洗浄剤組成物が提案されている。特許文献１に記載の発明によれば、酵素の性能及び安定性の向上が図られている。
【先行技術文献】
【特許文献】
【０００４】
【特許文献１】国際公開第２０１２／１４４６０１号
【発明の概要】
【発明が解決しようとする課題】
【０００５】
しかしながら、従来の技術では、食べ物に由来する汚れ（食べ物汚れ）に対する洗浄力が不十分であった。
そこで、本発明は、洗浄力により優れる液体洗浄剤組成物を目的とする。
【課題を解決するための手段】
【０００６】
本発明は以下の態様を有する。
［１］（Ａ）成分：高級脂肪酸及びその塩を除く界面活性剤と、
（Ｂ）成分：アミラーゼ０．０５〜３質量％と、
（Ｃ）成分：炭酸水素塩と、
を含有する、繊維製品用の液体洗浄剤組成物。
［２］前記（Ｂ）成分／前記（Ｃ）成分で表される質量比が、０．０１〜１．５である、［１］に記載の繊維製品用の液体洗浄剤組成物。
［３］前記（Ａ）成分の含有量が、１０〜２６質量％である、［１］又は［２］に記載の繊維製品用の液体洗浄剤組成物。
［４］前記（Ａ）成分は、ノニオン界面活性剤とアニオン界面活性剤とを含有し、
前記ノニオン界面活性剤／前記アニオン界面活性剤で表される質量比は、０．５〜１０である、［１］〜［３］のいずれかに記載の繊維製品用の液体洗浄剤組成物。
【発明の効果】
【０００７】
本発明の繊維製品用の液体洗浄剤によれば、洗浄力により優れる。
【発明を実施するための形態】
【０００８】
（液体洗浄剤）
本発明の繊維製品用の液体洗浄剤組成物（以下、単に液体洗浄剤組成物ということがある）は、（Ａ）〜（Ｃ）成分を含有する。
【０００９】
＜（Ａ）成分＞
（Ａ）成分は、高級脂肪酸及びその塩を除く界面活性剤である。液体洗浄剤組成物は、（Ａ）成分を含有することで、洗浄力を発揮する。
（Ａ）成分としては、ノニオン界面活性剤（（ａ１）成分）、アニオン界面活性剤（（ａ２）成分）、カチオン界面活性剤、両性界面活性剤等が挙げられる。洗浄力のさらなる向上を図る観点からは、（ａ１）成分及び（ａ２）成分を含有することが好ましい。
【００１０】
≪（ａ１）成分≫
（ａ１）成分はノニオン界面活性剤である。ノニオン界面活性剤としては、例えば、下記式（ａ１−１）で表されるポリオキシアルキレン型ノニオン界面活性剤、下記式（ａ１−２）で表されるポリオキシアルキレン型ノニオン界面活性剤が挙げられる。
【００１１】
Ｒ１１−Ｘ−［（ＥＯ）ｓ／（ＰＯ）ｔ］−Ｒ１２・・・（ａ１−１）
（式（ａ１−１）中、Ｒ１１は炭素数８〜１８の炭化水素基を表し、ＸはＯ、ＣＯＯ又はＣＯＮＨを表し、Ｒ１２は水素原子、炭素数１〜６のアルキル基、又は炭素数２〜６のアルケニル基を表す。ｓはＥＯの平均繰り返し数を表し、６〜２０の数である。ｔはＰＯの平均繰り返し数を表し、０〜６の数である。ＥＯはオキシエチレン基、ＰＯはオキシプロピレン基を表し、ＥＯとＰＯとは混在して配列していてもよい。）
【００１２】
式（ａ１−１）中、Ｒ１１は、洗浄力が良好であることから、炭素数１０〜１８の炭化水素基であることが好ましく、直鎖状であっても分岐鎖状であってもよい。炭化水素基としては、１級又は２級の高級アルコール、高級脂肪酸、高級脂肪酸アミド等の原料に由来するものが挙げられる。
Ｒ１２のアルキル基としては、炭素数１〜３のアルキル基が好ましい。Ｒ１２のアルケニル基としては、炭素数２〜３のアルケニル基が好ましい。また、ＸはＯ、又はＣＯＯが好ましい。
【００１３】
式（ａ１−１）中、ＸがＯの場合、（ａ１）成分はアルキルエーテル型ノニオン界面活性剤である。ＸがＯの場合、洗浄力向上の観点から、Ｒ１１は炭素数１０〜１８の炭化水素基であることが好ましい。また、Ｒ１１は不飽和結合を有していてもよい。また、ｓは１０〜２０であることが好ましく、１４〜１８がより好ましく、Ｒ１２は、水素原子であることが好ましい。
【００１４】
式（ａ１−１）中、ＸがＣＯＯの場合、（ａ１）成分は脂肪酸エステル型ノニオン界面活性剤である。ＸがＣＯＯの場合、洗浄力の更なる向上の観点から、Ｒ１１は炭素数９〜１８の炭化水素基であることが好ましく、炭素数１１〜１８の炭化水素基であることがより好ましい。また、Ｒ１１は不飽和結合を有していてもよい。また、Ｒ１２は、炭素数１〜３のアルキル基であることが好ましく、メチル基であることがより好ましい。
【００１５】
式（ａ１−１）中、ｓは、６〜２０の数であり、１０〜１８が好ましく、１４〜１８がより好ましい。ｓが前記範囲内であれば、洗浄力のさらなる向上を図れる。
式（ａ１−１）中、ｔは、０〜６の数であり、０〜３が好ましく、０がより好ましい。ｔが前記範囲内であれば、高温下での液安定性が良好となりやすい。
式（ａ１−１）中の［（ＥＯ）ｓ／（ＰＯ）ｔ］において、ＥＯとＰＯとは混在して配列していてもよい。ＥＯとＰＯが混在して配列している場合、ランダム状であってもよく、ブロック状であってもよい。
【００１６】
式（ａ１−１）において、ＥＯの繰り返し数ｓ（即ち、エチレンオキシドの平均付加モル数）又はＰＯの繰り返し数ｔ（即ち、プロピレンオキシドの平均付加モル数）の分布は、本発明の効果を有する限り特に限定されない。前記付加モル数分布は、ノニオン界面活性剤を製造する際の反応方法によって変動する。例えば、エチレンオキシド又はプロピレンオキシドの付加モル数分布は、一般的な水酸化ナトリウム、水酸化カリウム等のアルカリ触媒を用いて、エチレンオキシド又はプロピレンオキシドを炭化水素基の原料（１級又は２級の高級アルコール、高級脂肪酸、高級脂肪酸アミド等）に付加させた際には、比較的広い分布となる傾向にある。また、特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いて、エチレンオキシド又はプロピレンオキシドを前記炭化水素基の原料に付加させた際には、比較的狭い分布となる傾向にある。
【００１７】
式（ａ１−１）で表される成分（（ａ１−１）成分）としては、市販品であってもよい。市販品の具体例としては、三菱化学社製のＤｉａｄｏｌ（登録商標）（商品名、Ｃ１３、Ｃは炭素数を示す。以下同様。）、Ｓｈｅｌｌ社製のＮｅｏｄｏｌ（登録商標）（商品名、Ｃ１２とＣ１３との混合物）、Ｓａｓｏｌ社製のＳａｆｏｌ（登録商標）２３（商品名、Ｃ１２とＣ１３との混合物）等のアルコールに対して、１２モル相当又は１５モル相当のエチレンオキシドを付加したもの；Ｐ＆Ｇ社製のＣＯ−１２１４（商品名）又はＣＯ−１２７０（商品名）等の天然アルコールに対して、１２モル相当又は１５モル相当のエチレンオキシドを付加したもの；炭素数１２〜１４の第２級アルコールに対して、１５モル相当のエチレンオキシドを付加したもの（日本触媒（株）社製のソフタノール（登録商標）１５０（商品名））等が挙げられる。さらには、ヤシ脂肪酸メチル（ラウリン酸／ミリスチン酸＝８／２）に対して、アルコキシル化触媒を用いて、１５モル相当の酸化エチレンを付加したもの（ポリオキシエチレンヤシ脂肪酸メチルエステル（ＥＯ１５モル））が挙げられる。
【００１８】
Ｒ１３−Ｏ−［（ＥＯ）ｐ／（ＰＯ）ｑ］−（ＥＯ）ｒ−Ｈ    ・・・（ａ１−２）
（式（ａ１−２）中、Ｒ１３は炭素数８〜１８の炭化水素基を表す。ｐはＥＯの平均繰り返し数を表し、ｑはＰＯの平均繰り返し数を表し、ｒはＥＯの平均繰り返し数を表す。ｐ、ｑ、ｒは、ｐ≧１、ｒ≧７、０＜ｑ≦３、ｐ＋ｒ＝８〜２０を満たす数である。ＥＯはオキシエチレン基、ＰＯはオキシプロピレン基を表し、ＥＯとＰＯとは混在して配列していてもよい。）
【００１９】
式（ａ１−２）中、Ｒ１３は炭素数８〜１８の炭化水素基であり、炭素数８〜１８のアルキル基又はアルケニル基であることが好ましい。これらは、直鎖でもよいし、分岐鎖でもよい。
【００２０】
式（ａ１−２）中、ＥＯとＰＯとの比率は、ｑ／（ｐ＋ｒ）で表される比で０．１〜０．５が好ましく、０．１〜０．３が好ましい。ｑ／（ｐ＋ｒ）で表される比が上記下限値以上であると、液体洗浄剤組成物の泡立ちの適正化が図られやすい。上記上限値以下であると、適度な粘度が得られやすくなり、ゲル化が抑制されやすい。
【００２１】
［（ＥＯ）ｐ／（ＰＯ）ｑ］におけるＥＯとＰＯは、混在して配列していてもよい。その場合、ＥＯとＰＯは、ランダム状であってもよく、ブロック状であってもよい。
【００２２】
式（ａ１−２）で表される（ａ１）成分は、公知の方法で製造することができる。具体的には、天然油脂から誘導されたＲ１３の炭化水素基を有するアルコールに対して、エチレンオキシド、プロピレンオキシドの順に付加させた後、又はエチレンオキシドとプロピレンオキシドとを混合付加（ランダム付加）させた後、エチレンオキシドを付加することで製造できる。
式（ａ１−２）で表される成分（（ａ１−２）成分）を用いると、液体洗浄剤組成物は適度な粘度が得られやすくなり、液体洗浄剤組成物のゲル化を抑制できる。また、泡立ち性が向上し、生分解性もより良好になる。
（ａ１−２）成分は、１種単独でもよいし、２種以上の組み合わせでもよい。
【００２３】
（ａ１）成分としては、（ａ１−１）成分が好ましく、中でも、ポリオキシエチレンアルキルエーテルがより好ましい。これらの（ａ１）成分を用いることで、液体洗浄剤組成物の洗浄力のさらなる向上を図れる。
（ａ１）成分は、１種単独でもよいし、２種以上の組み合わせでもよい。
【００２４】
（ａ１）成分の含有量は、液体洗浄剤組成物の総質量に対して、６〜２０質量％が好ましく、７〜１６質量％がより好ましく、８〜１２質量％がさらに好ましい。（ａ１）成分の含有量が上記下限値以上であると、液安定性、食べ物汚れに対する洗浄力をより高められる。（ａ１）成分の含有量が上記上限値以下であると、液体洗浄剤組成物のゲル化を抑制し、他の成分を充分量含有でき、アニオン界面活性剤との相乗効果を得られやすい。
なお、本稿において、液体洗浄剤組成物が、沈殿を生じくい、ゲル化しにくい、分離しにくい、白濁しにくい等、液体の性状が変化しにくいことを「液安定性が高い」という。
【００２５】
≪（ａ２）成分≫
（ａ２）成分は、高級脂肪酸及びその塩を除くアニオン界面活性剤である。
（ａ２）成分としては、従来、液体洗浄剤組成物に用いられているアニオン界面活性剤を用いることができる。例えば、直鎖アルキル（Ｃ８〜１６）ベンゼンスルホン酸又はその塩；α−オレフィン（Ｃ１０〜２０）スルホン酸又はその塩；直鎖状又は分岐鎖状のアルキル（Ｃ１０〜２０）硫酸エステル又はその塩；ポリオキシアルキレン（平均１〜１０モルのエチレンオキシド）アルキル（Ｃ１０〜２０）エーテル硫酸エステル又はその塩（すなわち、ポリオキシエチレンアルキルエーテル硫酸エステル塩）；ポリオキシアルキレン（平均１〜１０モルのエチレンオキシド）アルケニル（Ｃ１０〜２０）エーテル硫酸エステル又はその塩（すなわち、ポリオキシエチレンアルケニルエーテル硫酸エステル塩）；アルキル基（Ｃ１０〜２０）を有するアルカンスルホン酸又はその塩；α−スルホ脂肪酸（Ｃ１０〜２０）エステル又はその塩が挙げられる。これらの中でも直鎖アルキルベンゼンスルホン酸又はその塩が、食べ物汚れの一部であるタンパク質変性作用の観点から好ましい。（）内の「Ｃ〇〇〜〇〇」は炭素数を表す。
アニオン界面活性剤の塩の形態としては、ナトリウム、カリウム等のアルカリ金属塩；マグネシウム等のアルカリ土類金属塩；モノエタノールアンモニウム、ジエタノールアンモニウム等のアルカノールアミン塩等が挙げられる。（ａ２）成分は、１種単独でもよいし、２種以上の組み合わせでもよい。
（ａ２）成分としては、上記以外に、例えば、アルキルエーテルカルボン酸又はその塩、ポリオキシアルキレンエーテルカルボン酸又はその塩、アルキルアミドエーテルカルボン酸又はその塩、アルケニルアミドエーテルカルボン酸又はその塩、アシルアミノカルボン酸又はその塩等のカルボン酸型アニオン界面活性剤；アルキルリン酸エステル又はその塩、ポリオキシアルキレンアルキルリン酸エステル又はその塩、ポリオキシアルキレンアルキルフェニルリン酸エステル又はその塩、グリセリン脂肪酸エステルモノリン酸エステル又はその塩等のリン酸エステル型アニオン界面活性剤等が挙げられる。
これらの（ａ２）成分は、市販品を用いてもよい。
【００２６】
（ａ２）成分の含有量は、液体洗浄剤組成物の総質量に対して、１〜１５質量％が好ましく、２〜１５質量％がより好ましく、３〜１０質量％がさらに好ましく、４〜６質量％が特に好ましい。（ａ２）成分の含有量が上記下限値以上であると、食べ物汚れの一部であるタンパク質に対する洗浄力をより高められる。（ａ２）成分の含有量が上記上限値以下であると、液体洗浄剤組成物の液安定性をより高められる。
【００２７】
（Ａ）成分の含有量（即ち、総界面活性剤量）は、液体洗浄剤組成物の総質量に対して、８〜３５質量％が好ましく、１０〜２６質量％がより好ましく、１２〜１８質量％がより好ましい。総界面活性剤量が上記下限値以上であれば、洗浄力のさらなる向上を図れる。総界面活性剤量が上記上限値以下であれば、液安定性をより高められる。
【００２８】
（ａ１）成分と（ａ２）成分との合計量（ａ１ａ２合計量）は、液体洗浄剤組成物の総質量に対して、８〜３５質量％が好ましく、１０〜２６質量％がより好ましく、１２〜１８質量％がより好ましい。ａ１ａ２合計量が上記下限値以上であると、皮脂汚れやタンパク質に対する洗浄力のさらなる向上を図れる。ａ１ａ２合計量が上記上限値以下であると、液体洗浄剤組成物の液安定性のさらなる向上を図れ、すすぎ性を高められる。すすぎ性を高めると、洗浄処理後のすすぎ処理の回数を減らすことができる。
【００２９】
（ａ１）成分／（ａ２）成分で表される質量比（ａ１／ａ２比）は、０．５〜１０が好ましく、１〜１０が好ましく、１．５〜５がさらに好ましい。ａ１／ａ２比が上記下限値以上であれば、デンプン等を含む食べ物汚れに対する洗浄力のさらなる向上を図れる。ａ１／ａ２比が上記上限値以下であれば、タンパク質汚れに対する洗浄力のさらなる向上を図れる。
【００３０】
＜（Ｂ）成分＞
（Ｂ）成分は、アミラーゼである。（Ｂ）成分を含有することで、液体洗浄剤組成物は、食べ物汚れの一部であるデンプンに対する洗浄力を高められる。
（Ｂ）成分は、デンプン、グリコーゲン等のα−１，４結合を加水分解する酵素であればよい。（Ｂ）成分としては、α−アミラーゼ、β−アミラーゼ、α−グルコシターゼ、グルコアミラーゼ；デンプンやグリコーゲン等のα−１，６結合を加水分解するグルコアミラーゼ、プルラナーゼ、イソアミラーゼ、アミロ−１，６グルコシターゼ／４−αグルカノトランスフェラーゼ、オリゴ−１，６−グルコシターゼ等が挙げられる。
これらの（Ｂ）成分は、１種単独でもよいし、２種以上の組み合わせでもよい。
【００３１】
（Ｂ）成分の市販酵素（アミラーゼ製剤）としては、ターマミルウルトラ（Ｔｅｒｍａｍｙｌ  Ｕｌｔｒａ）３００Ｌ、デュラミル（Ｄｕｒａｍｙｌ）１６Ｌ、ステインザイム（Ｓｔａｉｎｚｙｍｅ）１２Ｌ、プロモザイム（Ｐｒｏｍｏｚｙｍｅ）２００Ｌ、アンプリファイプライム（Ａｍｐｌｉｆｙ  Ｐｒｉｍｅ）１００Ｌ、メドレーコア（Ｍｅｄｌｅｙ  Ｃｏｒｅ）２１０Ｌ（プロテアーゼとアミラーゼとの混合酵素。以上、商品名；ノボザイムズ社製）；マキサミル（Ｍａｘａｍｙｌ）（商品名、ジェネンコア社製）、プルラナーゼアマノ（商品名、天野製薬社製）、ＤＢ−２５０（商品名、Ａｅｒｏｂａｃｔｅｒ  ａｅｒｏｇｅｎｅｓ  ＡＴＣＣ９６２１由来のプルラナーゼ、クルード又は結晶化品、生化学工業社製）等が挙げられる。中でも、（Ｂ）成分としては、デュラミル１６Ｌ、ステインザイム１２Ｌ、ターマミルウルトラ３００Ｌ、アンプリファイプライム１００L（以上、商品名；ノボザイムズ社製）が好ましく、アンプリファイプライム１００Ｌがより好ましい。
これらの（Ｂ）成分の製剤１ｇ当たりの活性は、１〜８００ｋＡＵ／ｇが好ましく、２０〜６００ｋＡＵ／ｇがより好ましく、５０〜４００ｋＡＵ／ｇがさらに好ましい。
これらのアミラーゼ製剤は、１種単独でもよいし、２種以上の組み合わせでもよい。
【００３２】
（Ｂ）成分の含有量は、液体洗浄剤組成物の総質量に対し、０．０５〜３質量％であり、０．０５〜２質量％が好ましく、０．１〜１質量％がより好ましい。（Ｂ）成分の含有量が上記下限値以上であれば、洗浄力をより高められる。（Ｂ）成分の含有量が上記上限値以下であれば、析出をより抑制でき、液安定性をより高められる。
なお、（Ｂ）成分の含有量は、製剤としての含有量である。
【００３３】
（Ａ）成分／（Ｂ）成分で表される質量比（Ａ／Ｂ比）は、３〜７００が好ましく、５〜５００がより好ましく、１２〜１８０がさらに好ましく、２０〜３０が特に好ましい。Ａ／Ｂ比が上記下限値以上であれば、（Ａ）成分の含有量が充分となり、タンパク質に対する洗浄力のさらなる向上を図れる。Ａ／Ｂ比が上記上限値以下であれば、（Ｂ）成分の活性の低下をより抑制でき、デンプン等を含む食べ物汚れに対する洗浄力のさらなる向上を図れる。
【００３４】
また、液体洗浄剤組成物１ｇ当たりのアミラーゼ活性（ｋＡＵ／ｇ）は、０．０００５〜２４ｋＡＵ／ｇが好ましく、０．００１〜１６ｋＡＵ／ｇがより好ましく、０．０５〜８ｋＡＵ／ｇがさらに好ましい。
【００３５】
≪アミラーゼ活性≫
アミラーゼ活性は、例えば、以下の方法で測定される。
本明細書において「アミラーゼ活性単位（ＡＵ）」とは、α−アミラーゼが、澱粉中のα−１，４−グルコシド結合を加水分解する活性である。アミラーゼ活性単位（ＡＵ）は、既知活性の標準酵素「ファデバスヒトα−アミラーゼコントロール」により作成された吸光度検量線（試薬付属）から換算した値である。なお、１Ｕ／Ｌが１ＡＵである。
【００３６】
［洗浄剤組成物１ｇ当たりのアミラーゼ活性Ｅａの測定方法］
洗浄剤組成物１ｇ当たりのアミラーゼ活性Ｅａは、例えば、以下の方法で測定される値である。アミラーゼ活性Ｅａは、「ファデバスアミラーゼテスト」（Ｍａｇｌｅ  Ｌｉｆｅ  Ｓｃｉｅｎｃｅｓ社製）を用いて測定される。
【００３７】
検量線の作成には、各濃度に希釈した標準酵素液を用いる。標準酵素液を入れた試験管に、緩衝液５ｇ及び基質である青色澱粉ポリマーを含有した錠剤１錠を加える。緩衝液は、亜硫酸ナトリウム２０ｇ、リン酸二水素カリウム５ｇ、リン酸水素二ナトリウム・１２水和物１０ｇ、塩化カルシウム・２水和物０．０５ｇ、Ｂｒｉｊ３５（３０％水溶液）１ｍＬをイオン交換水で１Ｌとした混合液である。
錠剤が崩壊するまで混和し、３７℃の恒温槽で１５分間正確に保温し酵素反応を行う。１ｍｏｌ／Ｌ水酸化ナトリウム溶液１ｍＬを加えて、酵素反応を停止させた後、不溶性分をろ紙（アドバンテック社製のＮ０．１３１等）でろ過して取り除き、ろ液を回収した。回収したろ液の吸光度を波長６２０ｎｍで測定することで検量線を得る。
【００３８】
液体洗浄剤組成物０．１ｇを前記緩衝液で３００倍に希釈し、この溶液をサンプル溶液とした。緩衝液は、亜硫酸ナトリウム２０ｇ、リン酸二水素カリウム５ｇ、リン酸水素二ナトリウム・１２水和物１０ｇ、塩化カルシウム・２水和物０．０５ｇ、Ｂｒｉｊ３５（３０％水溶液）１ｍＬをイオン交換水で１Ｌとした混合液である。
サンプル溶液１ｇに、上記緩衝液５ｇ及びファデバスアミラーゼテスト（Ｍａｇｌｅ  Ｌｉｆｅ  Ｓｃｉｅｎｃｅｓ社製）１錠を添加し、ボルテックスミキサーで１０秒間撹拌した後、３７℃、１５分間静置して酵素反応を進める。その後、前記溶液に１Ｎ水酸化ナトリウム水溶液（関東化学製）１ｇを添加し、ボルテックスミキサーで１０秒間撹拌して反応を停止する。その後、この溶液を３７℃、１５分間静置して、不溶成分をろ紙（アドバンテック社製のＮ０．１３１等）にてろ過し、ろ液を回収する。回収したろ液の６２０ｎｍにおける吸光度（吸光度α）を、島津製作所社製の紫外可視分光光度計ＵＶ−１６０を用いて測定する。目的成分以外の吸収の影響を除くため、別途、各サンプル溶液１ｇに、１Ｎ水酸化ナトリウム水溶液１ｇを添加し、ボルテックスミキサーで１０秒間撹拌した後、リン酸水溶液５ｇ及びファデバスアミラーゼテスト５０Ｔを１錠添加し、ボルテックスミキサーで１０秒間撹拌し、３７℃、１５分間静置する。その後前記溶液の不溶成分をろ紙（アドアンテック社製のＮ０．１３１等）にてろ過した。前記ろ液の波長６２０ｎｍの吸光度（吸光度β）を、ＵＶ−１６０を用いて測定する。次いで、吸光度αと吸光度βとの差を求める。この差を、アミラーゼを含有する洗浄剤組成物の吸収度値とする。
そして、活性既知のアミラーゼ酵素で作成した検量線を基にして計算した濃度から、洗浄剤組成物１ｇ当たりのプロテアーゼ活性（ＡＵ）を算出する。
【００３９】
［アミラーゼ製剤１ｇ当たりの活性の測定方法］
（Ｂ）成分（アミラーゼ酵素製剤）１ｇ当たりの活性は、例えば、以下の方法で測定される値である。
アミラーゼ酵素製剤０．１ｇを上記緩衝液に溶解して１００ｍＬに定容する。この酵素溶液１ｍＬをイオン交換水に溶解して１００ｍＬに定容することにより、濃度０．００１質量％のアミラーゼ酵素製剤水溶液を調製する。
このアミラーゼ酵素製剤水溶液１ｍＬに上記緩衝液５ｇ及びファデバスアミラーゼテスト（Ｍａｇｌｅ  Ｌｉｆｅ  Ｓｃｉｅｎｃｅｓ社製）１錠を添加し、ボルテックスミキサーで１０秒間撹拌した後、３７℃、１５分間静置して酵素反応を進める。その後、前記溶液に１Ｎ水酸化ナトリウム水溶液（関東化学製）１ｇを添加し、ボルテックスミキサーで１０秒間撹拌して、反応を停止する。その後、この溶液を３７℃、１５分間静置して、不溶成分をろ紙にてろ過し、ろ液を回収する。回収したろ液の６２０ｎｍにおける吸光度（吸光度ａ）を、島津製作所社製の紫外可視分光光度計ＵＶ−１６０で測定する。目的成分以外の吸収の影響を除くため、別途、各サンプル溶液１ｇに、１Ｎ水酸化ナトリウム水溶液１ｇを添加し、ボルテックスミキサーで１０秒間撹拌した後、リン酸水溶液５ｇ及びファデバスアミラーゼテスト５０Ｔを１錠添加し、ボルテックスミキサーで１０秒間撹拌し、３７℃、１５分間静置する。前記溶液の不溶成分をろ紙にてろ過する。前記ろ液の波長６２０ｎｍの吸光度（吸光度ｂ）を、ＵＶ−１６０で測定する。次いで、吸光度ａと吸光度ｂとの差を求める。この差をアミラーゼ製剤の吸収度値とする。
活性既知のアミラーゼ酵素で作成した検量線を基にして計算した濃度から、（Ｂ）成分１ｇ当たりのアミラーゼ活性（ＡＵ）を算出する。
【００４０】
＜（Ｃ）成分＞
（Ｃ）成分は、炭酸水素塩である。液体洗浄剤組成物は、（Ｃ）成分を含有することで、（Ｂ）成分との相乗効果により、食べ物汚れに対する洗浄力を高められる。
（Ｃ）成分としては、例えば、炭酸水素ナトリウム、炭酸水素カリウム、セスキ炭酸ナトリウム等、アルカリ金属の炭酸水素塩が挙げられる。
これらの（Ｃ）成分は、１種を単独で用いてもよく、２種以上を併用してもよい。
【００４１】
（Ｃ）成分の含有量は、液体洗浄剤組成物の総質量に対して、２．０〜５．０質量％が好ましく、２．２〜４．０質量％がより好ましく、２．５〜３．０質量％がさらに好ましい。（Ｂ）成分の含有量が上記下限値以上であると、水道水に液体洗浄剤組成物を分散して洗浄液とした後の希釈液のｐＨを弱アルカリ性（ｐＨ８超１１以下）に保ちやすく、洗浄力をさらに高めやすい。（Ｃ）成分の含有量が上記上限値以下であると、低温での液安定性に優れ、均一透明で良好な外観としやすい。
【００４２】
（Ｂ）成分／（Ｃ）成分で表される質量比（Ｂ／Ｃ比）は、例えば、０．０１〜１．５が好ましく、０．０２〜１がより好ましく、０．０３〜０．４がさらに好ましい。Ｂ／Ｃ比が上記下限値以上であれば、タンパク質汚れに対する洗浄力をより高められる。Ｂ／Ｃ比が上記上限値以下であれば、（Ｂ）成分の活性の低下をより抑制でき、デンプン等を含む食べ物汚れに対する洗浄力をより高められる。
【００４３】
（Ｃ）成分／（Ａ）成分で表される質量比（Ｃ／Ａ比）は、例えば、０．０６〜０．６が好ましく、０．０８〜０．４がより好ましく、０．１〜０．３がさらに好ましい。Ｃ／Ａ比が上記下限値以上であれば、洗浄力をより高められる。Ｃ／Ａ比が上記上限値以下であれば、均一透明で良好な外観としやすい。
【００４４】
＜任意成分＞
液体洗浄剤組成物は、（Ａ）〜（Ｃ）成分以外の任意成分を含有してもよい。任意成分としては、水、高級脂肪酸又はその塩（高級脂肪酸（塩））、キレート剤、（Ｂ）成分以外の酵素（任意酵素）、（Ｃ）成分以外のアルカリ剤（任意アルカリ剤）、ハイドロトロープ剤、香料、色素等が挙げられる。
【００４５】
≪水≫
液体洗浄剤組成物は、水を含有してもよい。水の含有量は、液体洗浄剤組成物の総質量に対して、６０〜９０質量％が好ましく、７０〜８５質量％がより好ましい。
【００４６】
≪高級脂肪酸（塩）≫
任意界面活性剤としては、高級脂肪酸又はその塩（高級脂肪酸（塩））、カチオン界面活性剤、両性界面活性剤等が挙げられる。
「高級脂肪酸」とは、炭素数８〜２２の脂肪酸である。高級脂肪酸（塩）を含有することで、液体洗浄剤組成物は、すすぎ性を高められる。すすぎ性を高めると、洗浄処理後のすすぎ処理の回数を減らすことができる。
高級脂肪酸（塩）を配合すると、液安定性が低下しやすい。液体洗浄剤組成物のｐＨを７超にすることで液安定性を高められる。
高級脂肪酸としては、炭素数８〜１８の鎖状モノカルボン酸が好ましい。高級脂肪酸は、下記式（１）で表される。
【００４７】
Ｒ１−ＣＯＯＨ・・・（１）
［式（１）中、Ｒ１は炭素数７〜１７の脂肪族炭化水素基である。］
【００４８】
式（１）中、Ｒ１の脂肪族炭化水素基は、直鎖状でもよく、分岐鎖状でもよい。Ｒ１としては、直鎖又は分岐鎖のアルキル基、直鎖又は分岐鎖のアルケニル基が好ましい。
Ｒ１の炭素数は、７〜１７であり、１１〜１７が好ましい。Ｒ１の炭素数が上記下限値以上であれば、再汚染防止効果が高まる。Ｒ１の炭素数が上記上限値以下であれば、水への溶解性が高まる。
【００４９】
高級脂肪酸（塩）における塩の形態としては、アルカリ金属塩、アルカリ土類金属塩、アミン塩又はアンモニウム塩等が挙げられる。アルカリ金属塩としては、ナトリウム塩又はカリウム塩等が挙げられる。アルカリ土類金属塩としては、カルシウム塩又はマグネシウム塩等が挙げられる。アミン塩としては、アルカノールアミン塩（モノエタノールアミン塩、ジエタノールアミン塩、又はトリエタノールアミン塩等）等が挙げられる。
これらの高級脂肪酸（塩）は、１種単独でもよいし、２種以上の組み合わせでもよい。  また、高級脂肪酸（塩）は、単一鎖長の混合物でもよく、２以上の鎖長の混合物でもよい。
高級脂肪酸（塩）としては、ヤシ脂肪酸又はその塩を含むことが好ましい。
【００５０】
高級脂肪酸（塩）の含有量は、液体洗浄剤組成物の総質量に対して、０．５〜３質量％が好ましく、０．７〜２質量％がより好ましく、０．８〜１．５質量％がさらに好ましい。高級脂肪酸（塩）の含有量が上記下限値以上であると、すすぎ性をより高められる。高級脂肪酸（塩）の含有量が上記上限値以下であると液安定性をより高められる。
【００５１】
≪キレート剤（金属封鎖剤）≫
キレート剤としては有機キレート剤が挙げられる。キレート剤としては、クエン酸、乳酸、酒石酸、シュウ酸、リンゴ酸、グルコン酸、ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、エタン−１，１−ジホスホン酸、エタン−１，１，２−トリホスホン酸、メチルグリシンジ酢酸３ナトリウム、１−ヒドロキシエタン−１，１−ジホスホン酸、エタンヒドロキシ−１，１，２−トリホスホン酸、エタン−１，２−ジカルボキシ−１，２−ジホスホン酸、メタンヒドロキシホスホン酸、アミノトリメチレンホスホン酸、エチレンジアミンテトラキシメチレンスルホン酸等の有機ホスホン酸誘導体又はこれらの塩等が挙げられる。中でも、クエン酸、メチルグリシンジ酢酸３ナトリウムが、低温安定性の観点からより好ましい。キレート剤は、１種単独でもよいし、２種以上の組み合わせでもよい。
【００５２】
≪任意酵素≫
液体洗浄剤組成物が任意酵素を含有していると、皮脂洗浄力やタンパク洗浄力のさらなる向上を図れる。
任意酵素としては、例えば、プロテアーゼ、リパーゼ、セルラーゼ、マンナナーゼ、セルラーゼ等が挙げられる。任意酵素としては、食べ物汚れの一部であるタンパク質分解の観点から、プロテアーゼがより好ましい。
【００５３】
プロテアーゼとしては、セリンプロテアーゼのように、分子内にセリン、ヒスチジン、及びアスパラギン酸を有するプロテアーゼが好ましい。
一般に、プロテアーゼを含有する製剤（プロテアーゼ製剤）が市販されている。液体洗浄剤を調製する際、プロテアーゼは、通常、このプロテアーゼ製剤を用いて配合される。
プロテアーゼ製剤としては、例えば、ノボザイムズ社から入手できる商品名Ｓａｖｉｎａｓｅ１６Ｌ、Ｓａｖｉｎａｓｅ  Ｕｌｔｒａ  １６Ｌ、Ｓａｖｉｎａｓｅ  Ｕｌｔｒａ  １６ＸＬ、Ｅｖｅｒｌａｓｅ  １６Ｌ  ＴｙｐｅＥＸ、Ｅｖｅｒｌａｓｅ  Ｕｌｔｒａ  １６Ｌ、Ｅｓｐｅｒａｓｅ  ８Ｌ、Ａｌｃａｌａｓｅ  ２．５Ｌ、Ａｌｃａｌａｓｅ  Ｕｌｔｒａ  ２．５Ｌ、Ｌｉｑｕａｎａｓｅ  ２．５Ｌ、Ｌｉｑｕａｎａｓｅ  Ｕｌｔｒａ  ２．５Ｌ、Ｌｉｑｕａｎａｓｅ  Ｕｌｔｒａ  ２．５ＸＬ、Ｃｏｒｏｎａｓｅ  ４８Ｌ  Ｐｒｏｇｒｅｓｓ  Ｕｎｏ  １００L、Ｍｅｄｌｅｙ  Ｃｏｒｅ２１０Ｌ（プロテアーゼとアミラーゼとの混合酵素）；ジェネンコア社から入手できる商品名Ｐｕｒａｆｅｃｔ  Ｌ、Ｐｕｒａｆｅｃｔ  ＯＸ、Ｐｒｏｐｅｒａｓｅ  Ｌ等が挙げられる。
【００５４】
リパーゼ製剤としては、例えば、ノボザイムズ社から入手できる商品名Ｌｉｐｅｘ  １００Ｌ、Ｌｉｐｏｌａｓｅ  １００Ｌ等が挙げられる。
【００５５】
セルラーゼ製剤としては、例えば、ケアザイム４５００Ｌ（商品名、ノボザイムズ社製）、ケアザイムプレミアム４５００Ｌ（商品名、ノボザイムズ社製）、エンドラーゼ５０００Ｌ（商品名、ノボザイムズ社製）、セルクリーン４５００Ｔ（商品名、ノボザイムズ社製）等が挙げられる。
【００５６】
マンナナーゼ製剤としては、例えば、ノボザイムズ社から入手できる商品名Ｍａｎｎａｗａｙ  ４Ｌ等が挙げられる。
【００５７】
これらの任意酵素は、１種単独でもよいし、２種以上の組み合わせでもよい。
任意酵素の含有量は酵素製剤として、液体洗浄剤の総質量に対して０．０１〜１．５質量％が好ましい。任意酵素の含有量は、製剤としての含有量である。
【００５８】
≪任意アルカリ剤≫
液体洗浄剤組成物は、任意アルカリ剤を含有することで、ｐＨをより容易に調整できる。即ち、アルカリ剤は、ｐＨ調整剤として機能する。
アルカリ剤としては、例えば、モノエタノールアミン、ジエタノールアミン、トリエタノールアミン等のアルカノールアミン；水酸化ナトリウム、水酸化カリウム；炭酸水素ナトリウム、炭酸水素カリウム、セスキ炭酸ナトリウム等の炭酸水素塩等が挙げられる。アルカリ剤は、１種を単独で用いてもよく、２種以上を併用してもよい。
アルカリ剤を用いることで、製剤のｐＨを高めることができ、液体洗浄剤の保存安定性が良好になる。またこれらの中でも、水道水中の塩素を捕捉することで、（Ｂ）成分の効果を最大限発揮させる点からアルカノールアミンがより好ましい。
アルカリ剤の含有量は、液体洗浄剤組成物を目的のｐＨにできる量であれば特に限定されないが、液体洗浄剤組成物の総質量に対して、０．１〜３質量％が好ましい。
また、任意アルカリ剤としてアルカノールアミンを用いる場合、アルカノールアミン／（Ｃ）成分で表される質量比（アミン／Ｃ比）は、０．０３〜３が好ましく、０．０５〜０．１がより好ましい。アミン／Ｃ比が上記範囲内であれば、洗浄力のさらなる向上を図れ、液体洗浄剤組成物のｐＨをアルカリ性に維持しやすい。
【００５９】
≪ハイドロトロープ剤≫
液体洗浄剤組成物は、ハイドロトロープ剤を含有することで、液安定性のさらなる向上を図れる。
ハイドロトロープ剤としては、エチレングリコール、プロピレングリコール、ポリエチレングリコール、ポリプロピレングリコール等のグリコール系溶剤、エタノール等のアルコール系溶剤、パラトルエンスルホン酸等のスルホン酸又はその塩が挙げられる。中でも、エチレングリコール、プロピレングリコール、ポリエチレングリコール、ポリプロピレングリコール等のグリコール系溶剤は、液安定性のさらなる向上を図れ、かつ（Ｂ）成分の活性の低下をさらに抑制できる。
【００６０】
グリコール系溶剤の含有量は、液体洗浄剤組成物の総質量に対して、２〜５質量％が好ましい。グリコール系溶剤の含有量が上記下限値以上であれば、液安定性のさらなる向上が図れる。グリコール系溶剤の含有量が上記上限値以下であれば、（Ｂ）成分の活性の低下をさらに抑制できる。
【００６１】
なお、（Ａ）〜（Ｃ）成分及び任意成分の合計量は、１００質量％を超えない。
【００６２】
＜物性＞
液体洗浄剤組成物の２５℃におけるｐＨは、７超が好ましく、８以上１１以下がより好ましい。ｐＨが上記範囲内であれば、（Ｂ）成分の活性の低下を抑制して洗浄力を高め、かつ、液安定性を高められる。
ｐＨは、測定対象を２５℃とし、ｐＨメーター（製品名：ＨＭ−３０Ｇ、東亜ディーケーケー株式会社製）により測定される値である。
【００６３】
（製造方法）
液体洗浄剤の製造方法としては、（Ａ）〜（Ｃ）成分、及び必要に応じて任意成分を混合し、ｐＨ調整剤であるアルカリ剤で所望するｐＨに調整する方法が挙げられる。
【００６４】
（使用方法）
液体洗浄剤組成物の使用方法（即ち、洗濯方法）は、例えば、液体洗浄剤組成物と被洗物とを水に投入しこれを洗濯機等で撹拌する方法（通常洗浄）が挙げられる。また、例えば、液体洗浄剤組成物を予め水に溶解して洗浄液を調製し、この洗浄液に被洗物を浸漬する方法等が挙げられる。あるいは、液体洗浄剤組成物を被洗物に直接塗布し、一定時間放置し、その後、通常の洗濯を行ってもよい（塗布洗浄）。
通常洗浄において、洗浄液のｐＨは、８〜１０が好ましく、８．５〜９．５がより好ましい。
被洗物としては、例えば、衣類、布巾、タオル類、シーツ等の繊維製品が挙げられる。液体洗浄剤組成物は、繊維製品用の液体洗浄剤として好適である。
液体洗浄剤組成物を水に溶解して使用する場合、例えば、５〜５０００倍（体積基準）に希釈することが好ましい。
【実施例】
【００６５】
以下、実施例を示して本発明を詳細に説明するが、本発明は以下の記載によって限定されるものではない。
【００６６】
（使用原料）
＜（Ａ）成分：界面活性剤＞
・Ａ−１：ポリオキシエチレンアルキルエーテル（ＡＥ（１５ＥＯ））、天然アルコールに１５モル相当のエチレンオキシドを付加したもの。上記一般式（ａ１−１）中、Ｒ１１＝炭素数１２のアルキル基及び炭素数１４のアルキル基、Ｘ＝Ｏ、ｓ＝１５、ｔ＝０、Ｒ１１＝水素である化合物。下記合成方法により合成されたもの。
【００６７】
≪合成方法≫
プロクター・アンド・ギャンブル社製の天然アルコールＣＯ−１２１４（商品名）８６１．２ｇと、３０質量％ＮａＯＨ水溶液２．０ｇとを耐圧型反応容器内に仕込み、この反応容器内を窒素置換した。次に、温度１００℃、圧力２．０ｋＰａ以下で３０分間脱水した後、温度を１６０℃まで昇温した。次いで、反応液を撹拌しながら、エチレンオキシド（ガス状）７６０．６ｇを反応液中に徐々に加えた。この時、反応温度が１８０℃を超えないように添加速度を調節しながら、エチレンオキシドを吹き込み管で加えた。
エチレンオキシドの添加終了後、温度１８０℃、圧力０．３ＭＰａ以下で３０分間熟成した後、温度１８０℃、圧力６．０ｋＰａ以下で１０分間、未反応のエチレンオキシドを留去した。
次に、温度を１００℃以下まで冷却した後、反応物の１質量％水溶液のｐＨが７になるように、７０質量％ｐ−トルエンスルホン酸を加えて中和し、Ａ−１とした。
【００６８】
・Ａ−２：炭素数１０〜１４のアルキル基を有する直鎖アルキルベンゼンスルホン酸塩（ＬＡＳ、ライオン（株）社製、商品名：ライポン（登録商標）ＬＨ−２００）。
【００６９】
＜（Ｂ）成分：アミラーゼ＞
・Ｂ−１：Ａｍｐｌｉｆｙ  Ｐｒｉｍｅ１００Ｌ（商品名、ノボザイムズ社製、アミラーゼ製剤、アミラーゼ活性＝３５０ｋＡＵ／ｇ）。
【００７０】
＜（Ｃ）成分：炭酸水素塩＞
・Ｃ−１：ＮａＨＣＯ３  炭酸水素ナトリウム、関東化学（株）製、商品名「炭酸水素ナトリウム」。
【００７１】
＜任意成分＞
・プロテアーゼ：ノボザイムズジャパン株式会社製、Ｐｒｏｇｒｅｓｓ  Ｕｎｏ  １００Ｌ、プロテアーゼ活性：１８００ｋＰＵ／ｇ。
・モノエタノールアミン：日本触媒社製、商品名「モノエタノールアミン」。
・安息香酸ナトリウム：東亞合成社製、商品名「安息香酸ナトリウム」。
・エタノール：日本アルコール販売社製、商品名「特定アルコール９５度合成」。
・ＭＧＤＡ：メチルグリシン２酢酸３ナトリウム、ＢＡＳＦ社製、商品名「Ｔｒｉｌｏｎ  Ｍ  Ｌｉｑｕｉｄ」。
・塩化カルシウム：関東化学社製、商品名「塩化カルシウム」。
・ヤシ脂肪酸：日油株式会社製、商品名「椰子脂肪酸」。
・ＰＥＧ１０００：ポリエチレングリコール＃１０００、三井化学（株）製、商品名「ＰＥＧ＃１０００−６０Ｌ」。
・シリコーンエマルジョン：信越化学工業株式会社製、商品名「ＫＭ−９０」。
・防腐剤１：１，２−ベンゾイソチアゾリン−３−オン（ＢＩＴ）、ＴＨＯＲ社製、商品名「ＡＣＴＩＣＩＤＥ  Ｂ２０」。
・防腐剤２：２−メチル−４−イソチアゾリン−３−オン（ＭＩＴ）／１，２−ベンゾイソチアゾリン−３−オン（ＢＩＴ）、ＴＨＯＲ社製、商品名「ＡＣＴＩＣＩＤＥ  ＭＢＳ」。
・色素：癸巳化成社製、商品名「緑色３号」。
・香料：特開２００２−１４６３９９号公報記載の香料組成物Ａ。
・ｐＨ調整剤：水酸化ナトリウム（ＮａＯＨ）、鶴見曹達社製、商品名「水酸化ナトリウム」。
【００７２】
（評価方法）
＜洗浄力＞
ガラス棒にくくりつけた布に中濃ソース（大塚食品（株））を染み込ませた。布に染み込ませた中濃ソースを綿平織り布（１００番、５ｃｍ×５ｃｍ）へ塗布し、これを一夜、風乾して食べ物汚れ汚染布とした。
各例の液体洗浄剤組成物０．７５ｇを溶解させた水道水（１５℃、４゜ＤＨ）９００ｍＬ中に、汚染布１０枚を投入した。Ｔｅｒｇ−Ｏ−Ｔｏｍｅｔｅｒ（ＵＮＩＴＥＤ ＳＴＡＴＥＳ ＴＥＳＴＩＮＧ社製）を用いて、汚染布１０枚を１２０ｒｐｍで１０分間洗浄した。汚染布を脱水後、水道水（１５℃、４゜ＤＨ）３０Ｌ中で３分間濯ぎ、アイロンで乾燥させた。汚れ付着前の原布と、洗浄前後の汚染布のＺ値（反射率）を、測色色差計（日本電色株式会社製：ＳＥ２０００）を用いて測定し、下記式（ｓ）によりソース汚れに対する洗浄率（％）を算出した。
【００７３】
洗浄率（％）＝（洗浄後の汚染布のＺ値−洗浄前の汚染布のＺ値）÷（原布のＺ値−洗浄前の汚染布のＺ値）×１００・・・（ｓ）
【００７４】
１０枚の汚染布における洗浄率（％）の平均値を下記評価基準に分類し、「Ｉ」、「ＩＩ」であれば洗浄力が良好であると判定した。
【００７５】
≪評価基準≫
Ｉ：洗浄率が７０％以上。
ＩＩ：洗浄率が６０％以上７０％未満。
ＩＩＩ：洗浄率が５０％以上６０％未満。
ＩＶ：洗浄率が５０％未満。
【００７６】
＜液安定性＞
各例の液体洗浄剤組成物３０ｍＬを、円筒ガラス瓶に取り、蓋を閉めて密閉した。この状態で０℃の恒温槽中で１ヶ月間保存した。その後、恒温槽より取り出し、液体洗浄剤組成物の外観を目視で観察し、下記基準に基づいて液体洗浄剤の液安定性を評価した。下記評価基準に基づき「Ｉ」を合格とした。
Ｉ：固化及び析出のいずれも認められない。
ＩＩ：固化又は析出が認められた。
【００７７】
（実施例１〜８、比較例１〜４）
表１〜２に示す組成に従い、各成分を水に入れ、混合して各例の液体洗浄剤組成物を調製した。
なお、表中の配合量は、酵素を除き、純分換算値である。表中の酵素の配合量は、製剤としての配合量である。また、表中に配合量が記載されていない成分は、配合されていない。
表中、水の配合量「バランス」は、全体を１００質量％とするのに必要な量である。表中、水酸化ナトリウムの配合量「適量」は、液体洗浄剤組成物を表に記載のｐＨとするのに必要な量である。
各例の液体洗浄剤組成物について、食べ物汚れ洗浄力及び液安定性を評価し、その結果を表中に示す。
【００７８】
【表１】
2020097657.tif 000002
【００７９】
【表２】
2020097657.tif 000003
【００８０】
表１〜２に示すように、本発明を適用した実施例１〜８は、洗浄力の評価が「Ｉ」又は「ＩＩ」であり、液安定性の評価が「Ｉ」であった。
（Ｂ）成分の含有量が本願発明の下限値未満である比較例１、３は、洗浄力の評価が「ＩＩＩ」又は「ＩＶ」であった。（Ａ）成分又は（Ｃ）成分のいずれかを欠く比較例２、４は、洗浄力の評価が「ＩＶ」であった。
これらの結果から、本発明を適用することで、洗浄力に優れかつ液安定性に優れる液体洗浄剤組成物を得られることを確認できた。